(57)【要約】【課題】短時間で効率よくかつ正確な診察が可能な医療用画像を表示することができる画像表示装置を提供すること。【解決手段】画像データをサブピクセルに対応した解像度に変換する解像度変換部、変換された画像データをサブピクセルの位相毎に分割し、抽出してサブピクセルの位相毎の画像データを作成する画像分割部、分割された画像データにそれぞれ位相判別メタデータを付加する位相判別メタデータ付加部およびメタデータが付された画像データを位相毎に送信する送信部を備える画像データ処理手段と、送信部から送信されたメタデータが付された画像データを受信する受信部、画像データを表示させるタイミングおよび表示させるサブピクセルの位相を制御するタイミング位相制御部、決定されたタイミングおよびサブピクセルの位相で画像データを表示する表示部を備える画像表示手段とを有することで、上記課題を解決する。【選択図】図１
2009122589.tif 000002
【特許請求の範囲】
【請求項１】
医療診断に用いるモノクロの画像を１つの画素が複数のサブピクセルで構成された表示部に表示する画像表示装置であって、
前記画像データを前記サブピクセルに対応した解像度に変換する解像度変換部、解像度変換部で変換された画像データをサブピクセルの位相毎に分割し、各画素から同一のサブピクセルの位相の画像データを抽出してサブピクセルの位相毎の画像データを作成する画像分割部、画像分割部で分割された画像データにそれぞれ位相判別メタデータを付加する位相判別メタデータ付加部、および前記メタデータが付された画像データを位相毎に送信する送信部を備える画像データ処理手段と、
前記送信部から送信された前記メタデータが付された画像データを受信する受信部、前記受信部が受信した画像データを表示させるタイミングおよび表示させるサブピクセルの位相を制御するタイミング位相制御部、前記タイミング位相制御部で決定されたタイミングおよびサブピクセルの位相で画像データを表示する表示部を備える画像表示手段とを有することを特徴とする画像表示装置。
【請求項２】
前記タイミング位相制御部は、第１の位相の画像データの受信を完了した後、前記表示部の第１の位相のサブピクセルのみに前記第１の位相の画像データの画像を表示させ、
全ての位相の画像データの受信を完了した後、前記表示部の全ての位相のサブピクセルに対応する位相の画像データの画像を表示させる請求項１に記載の画像表示装置。
【請求項３】
前記タイミング位相制御部は、第１の位相の画像データの受信が完了したら、前記表示部の全てのサブピクセルに前記第１の位相の画像データの画像を表示させ、
全ての位相の画像データの受信が完了したら、前記表示部の全ての位相のサブピクセルに対応する位相の画像データの画像を表示させる請求項１に記載の画像表示装置。
【請求項４】
前記タイミング位相制御部は、第１の位相の画像データの受信が完了したら、前記表示部の全てのサブピクセルに前記第１の位相の画像データの画像を表示させ、
第２の位相の画像データの受信が完了したら、前記第２の位相のサブピクセルに前記第２の位相の画像データの画像を表示させ、かつ、前記前記第２の位相以外の位相のサブピクセルに前記第１の位相の画像データの画像を表示させ、
全ての位相の画像データの受信が完了したら、前記表示部の全ての位相のサブピクセルに対応する位相の画像データの画像を表示させる請求項１に記載の画像表示装置。
【請求項５】
前記タイミング位相制御部は、
画像データの位相毎に設けられ、対応する位相の画像データを一時的に記憶する複数のフレームメモリ、受信された画像データの位相を確認し、画像データの位相に基づいて対応するフレームメモリに画像データを送信する位相確認部、前記表示部のサブピクセルの位相毎に前記フレームメモリと前記表示部との間に配置され、前記フレームメモリから供給される前記画像データの前記表示部への入力切断を切り換えるゲートとを有する請求項１〜４のいずれかに記載の画像表示装置。
【請求項６】
前記画像表示手段は、さらに、各位相毎のフレームメモリと、各位相毎のゲートとをマトリクスで接続するマトリクス部を有する請求項５のいずれかに記載の画像表示装置。
【請求項７】
前記表示部は、１つの画素が３つのサブピクセルで構成されている請求項１〜６のいずれかに記載の画像表示装置。
【請求項８】
１つの画素を構成するサブピクセルは、互いに透過率の異なるフィルタが配置されている請求項７の画像表示装置。
【請求項９】
画像データ処理手段は、前記解像度変換部による画像データの解像度変換と、前記画像分割部による画像データの分割および抽出を同時に行い、サブピクセルの位相毎の画像データを作成する請求項１〜８のいずれかに記載の画像表示装置。
【請求項１０】
画像データを画像として表示部に表示する画像表示装置であって、
前記画像データを前記表示部の表示解像度に対応した解像度に変換する解像度変換部、解像度変換部で変換された画像データから設定間隔毎の画素の画像データを抽出して設定間隔離間した画素で構成された画像データを作成する画像分割部、画像分割部で分割された画像データにそれぞれ設定間隔を周期としたときの位相を判別する位相判別メタデータを付加する位相判別メタデータ付加部、および前記メタデータが付された画像データを位相毎に送信する送信部を備える画像データ処理手段と、
前記送信部から送信された前記メタデータが付された画像データを受信する受信部、前記受信部が受信した画像データを表示させるタイミングおよび表示させる画素の位相を制御するタイミング位相制御部、前記タイミング位相制御部で決定されたタイミングおよび画素の位相で画像データを表示する表示部を備える画像表示手段とを有することを特徴とする画像表示装置。
【発明の詳細な説明】
【技術分野】
【０００１】
本発明は、単色の画像を表示する画像表示装置に関するものである。
【背景技術】
【０００２】
Ｘ線診断装置，ＭＲＩ（磁気共鳴イメージング）診断装置，各種ＣＴ（コンピュータ断層撮影）装置などの医療用診断装置で撮影された診断画像は、通常、Ｘ線フィルムや他のフィルム感光材料などの光透過性の画像記録フィルムに記録され、光透過性の画像として再生される。この診断画像が再生されたフィルムは、シャーカステンと呼ばれる観察用の装置にセットされて、背面から光を照射された状態で観察され、診断が行われる。
【０００３】
近年では、各種の医療用診断・計測装置では、フィルムに出力することなく、ＣＲＴディスプレイやＬＣＤ（液晶ディスプレイ）等のモニタに撮影・計測した画像を表示させ、観察、診察を行う方法が提案されている。
【０００４】
ここで、前述の、医療用診断装置で撮影された画像をフィルム上に再生する場合、あるいは、上述の医療用診断・計測装置で撮影・計測した画像をフィルム上に再生する場合には、通常、ブルーベースのモノクロフィルムが用いられることが多い。また、通常、１０ビットの階調分解能（１０２４階調）で画像が再生される場合が多い。
【０００５】
これに対して、前述のＣＲＴディスプレイでは、通常８ビットの階調分解能で画像表示が行われ、また、ＬＣＤでは通常６ビット、最新の高性能なもので８ビットの階調分解能で画像表示が行われる。そのため、通常のディスプレイでは、画像を表示する際には、上述の医療用診断・計測装置などで撮影・計測して出力される画像よりも階調分解能が低い、いわゆるビット落ちした画像データを表示することになる。
【０００６】
このため、上述のビット落ちに起因する、等高線状のアーチファクト（偽輪郭）と呼ばれる一種のノイズが発生することがある。このようにノイズが発生すると診断の信頼性が低くなり、高解像度な画像を表示する必要がある医療用診断画像として用いることが困難になる。
【０００７】
ここで、階調分解能を高める方法として、例えば特許文献１および特許文献２に記載されているような複数のサブピクセルで１つの画素を表す画像表示装置が提案されている。この特許文献１および特許文献２には、透過する光の強度割合がそれぞれ異なるＮＤフィルタを配置した８ビットのサブピクセルを３つ組み合わせ２４ビットの階調分解能の画像を表示する画像表示装置が記載されている。
また、同じ光量のサブピクセルを３つ組み合わせた場合もその組み合わせにより９．５ビットの階調分解能の画像を表示することができる。
このようにサブピクセル方式で画像を表示することで、高い階調分解能の画像を表示することができる。
【０００８】
【特許文献１】特開２００６−１５４６８５号公報
【特許文献２】特開２００６−５３５９０号公報
【発明の開示】
【発明が解決しようとする課題】
【０００９】
ここで、高分解能な画像を表示するための画像データは、データ量が多くなるため、画像を処理する処理部から画像表示部に送信（転送）するデータ量が多くなる。しかしながら、画像データの送信速度は一定速度であるため短時間で画像データを送り終えることができす、データ送信開始から画像を表示するまでに時間がかかるという問題がある。
このように、画像表示に時間がかかると画像の切替に一定以上の時間が必要となるため短時間に多くの画像を診断検査することができない。
【００１０】
本発明の目的は、上記従来技術に基づく問題点を解消し、短時間で効率よくかつ正確な診察が可能な医療用画像を表示することができる画像表示装置を提供することにある。
【課題を解決するための手段】
【００１１】
上記課題を解決するために、本発明は、医療診断に用いるモノクロの画像を１つの画素が複数のサブピクセルで構成された表示部に表示する画像表示装置であって、前記画像データを前記サブピクセルに対応した解像度に変換する解像度変換部、解像度変換部で変換された画像データをサブピクセルの位相毎に分割し、各画素から同一のサブピクセルの位相の画像データを抽出してサブピクセルの位相毎の画像データを作成する画像分割部、画像分割部で分割された画像データにそれぞれ位相判別メタデータを付加する位相判別メタデータ付加部、および前記メタデータが付された画像データを位相毎に送信する送信部を備える画像データ処理手段と、前記送信部から送信された前記メタデータが付された画像データを受信する受信部、前記受信部が受信した画像データを表示させるタイミングおよび表示させるサブピクセルの位相を制御するタイミング位相制御部、前記タイミング位相制御部で決定されたタイミングおよびサブピクセルの位相で画像データを表示する表示部を備える画像表示手段とを有することを特徴とする画像表示装置を提供するものである。
【００１２】
ここで、前記タイミング位相制御部は、第１の位相の画像データの受信を完了した後、前記表示部の第１の位相のサブピクセルのみに前記第１の位相の画像データの画像を表示させ、全ての位相の画像データの受信を完了した後、前記表示部の全ての位相のサブピクセルに対応する位相の画像データの画像を表示させることが好ましい。
また、前記タイミング位相制御部は、第１の位相の画像データの受信が完了したら、前記表示部の全てのサブピクセルに前記第１の位相の画像データの画像を表示させ、全ての位相の画像データの受信が完了したら、前記表示部の全ての位相のサブピクセルに対応する位相の画像データの画像を表示させることも好ましい。
さらに、前記タイミング位相制御部は、第１の位相の画像データの受信が完了したら、前記表示部の全てのサブピクセルに前記第１の位相の画像データの画像を表示させ、第２の位相の画像データの受信が完了したら、前記第２の位相のサブピクセルに前記第２の位相の画像データの画像を表示させ、かつ、前記前記第２の位相以外の位相のサブピクセルに前記第１の位相の画像データの画像を表示させ、全ての位相の画像データの受信が完了したら、前記表示部の全ての位相のサブピクセルに対応する位相の画像データの画像を表示させることも好ましい。
【００１３】
ここで、前記タイミング位相制御部は、画像データの位相毎に設けられ、対応する位相の画像データを一時的に記憶する複数のフレームメモリ、受信された画像データの位相を確認し、画像データの位相に基づいて対応するフレームメモリに画像データを送信する位相確認部、前記表示部のサブピクセルの位相毎に前記フレームメモリと前記表示部との間に配置され、前記フレームメモリから供給される前記画像データの前記表示部への入力切断を切り換えるゲートとを有することが好ましい。
【００１４】
また、前記画像表示手段は、さらに、各位相毎のフレームメモリと、各位相毎のゲートとをマトリクスで接続するマトリクス部を有することが好ましい。
また、前記表示部は、１つの画素が３つのサブピクセルで構成されていることが好ましい。
また、１つの画素を構成するサブピクセルは、互いに透過率の異なるフィルタが配置されていることが好ましい。
また、画像データ処理手段は、前記解像度変換部による画像データの解像度変換と、前記画像分割部による画像データの分割および抽出を同時に行い、サブピクセルの位相毎の画像データを作成することが好ましい。
【００１５】
また、本発明は、上記課題を解決するために、画像データを画像として表示部に表示する画像表示装置であって、前記画像データを前記表示部の表示解像度に対応した解像度に変換する解像度変換部、解像度変換部で変換された画像データから設定間隔毎の画素の画像データを抽出して設定間隔離間した画素で構成された画像データを作成する画像分割部、画像分割部で分割された画像データにそれぞれ設定間隔を周期としたときの位相を判別する位相判別メタデータを付加する位相判別メタデータ付加部、および前記メタデータが付された画像データを位相毎に送信する送信部を備える画像データ処理手段と、前記送信部から送信された前記メタデータが付された画像データを受信する受信部、前記受信部が受信した画像データを表示させるタイミングおよび表示させる画素の位相を制御するタイミング位相制御部、前記タイミング位相制御部で決定されたタイミングおよび画素の位相で画像データを表示する表示部を備える画像表示手段とを有することを特徴とする画像表示装置を提供するものである。
【発明の効果】
【００１６】
本発明によれば、短時間で画像を表示することができ、さらに、画像の全体像を把握し、病巣や病巣と疑われる部分を探知している間に高解像度の画像を表示することができるため、注目部位を詳細に観察することもできる。これにより、短時間で効率よくかつ正確な診察をすることが可能となる。
【発明を実施するための最良の形態】
【００１７】
本発明に係るに画像表示装置について、添付の図面に示す実施形態を基に詳細に説明する。
図１は、本発明の画像表示装置の一実施形態の概略構成を示すブロック図であり、図２（Ａ）は、図１に示す表示パネルの一部を示す正面図であり、図２（Ｂ）は、図２（Ａ）に示す表示パネルの１つの画素を拡大して示す拡大正面図である。
【００１８】
画像表示装置１０は、医療診断用画像を表示可能な形式に処理する画像データ処理手段１２と画像データ処理手段１２から送信（または転送）された画像データを表示する画像表示手段１４とを有する。なお、本実施形態では、画像表示手段１４として、３つのサブピクセルにより１つの画素を表示する表示パネルを用いる例で説明する。
【００１９】
画像データ処理手段１２は、医療診断用画像を表示可能な形式に処理するデータ処理ユニット２０とデータ処理ユニット２０で処理した画像データを画像表示手段１４に送信する送信部２２とを有する。なお、図示は省略したが画像データ処理手段１２は、さらに、画像データを取得するデータ取得手段等を有し、取得した画像をデータ処理ユニット２０で処理する。データ取得手段は、医療診断用画像を撮像する撮像手段であっても、撮影装置や記憶装置から転送（送信）された画像データを受信する受信手段であってもよい。
【００２０】
データ処理ユニット２０は、画像表示手段１４の解像度および分解能に応じて画像データを変換する解像度変換部２４と、解像度変換部２４で変換された画像データをサブピクセルの位相毎に分割する画像分割部２６と、分割した画像データに位相を示すメタデータを付加するメタデータ付加部２８とを有する。ここで、サブピクセルの位相とは、１つ画素の中におけるサブピクセルの位置である。
【００２１】
解像度変換部２４は、画像データを画像表示手段１４の解像度および分解能に応じて画像表示手段１４が表示できる形式に画像データを変換する。具体的には、取得した画像データから画像表示手段１４の各画素の各サブピクセルの出力を１つずつを決定した画像データを作成する。
【００２２】
画像分割部２６は、解像度変換部２４で変換した画像データをサブピクセルの位相毎に分割しグループ化する。つまり、３サブピクセル毎の画像データを抽出し、画素のサブピクセルの位相毎に画像データをグループ化する。より具体的には、１つの画素を構成する３つのサブピクセルのうち一方の端のサブピクセルの画像データを抽出してグループ化した画像データ、中央のサブピクセルの画像データを抽出してグループ化した画像データ、他方の端のサブピクセルの画像データを抽出してグループ化した画像データを作成する。
【００２３】
メタデータ付加部２８は、画像分割部２６でサブピクセルの位相毎にグループ化した画像データにサブピクセルの位相情報を付加する。
【００２４】
次に、送信部２２は、データ処理ユニット２０で作成されたサブピクセルの位相毎にグループ化した画像データを画像データ毎（つまりグループ毎）に送信する。
【００２５】
画像表示手段１４は、送信部２０から送信された画像データを受信する入力回路３０と、入力回路が受信した画像データを一時的に記憶し、所定のタイミングで出力するタイミング位相制御部３２と、タイミング位相制御部３２から送信された画像データを表示する表示パネル３４とを有する。
【００２６】
入力回路３０は、送信部２０から送信された画像データを受信し、さらに画像データのメタデータからサブピクセルの位相を検出して、検出した結果に基づいて、タイミング位相制御部３２に送信する。さらに、入力回路３０は、予め設定された条件や、ユーザからの入力に基づいて、後述するマトリクス４２やゲート４４ａ、４４ｂ、４４ｃの動作を制御する。
【００２７】
タイミング位相制御部３２は、サブピクセルの位相毎に設けられたフレームメモリ４０ａ、４０ｂ、４０ｃと、表示パネルのサブピクセルの位相毎に設けられ、フレームメモリ４０ａ、４０ｂ、４０ｃから供給された画像データを表示パネルに送信するゲート４４ａ、４４ｂ、４４ｃと、フレームメモリ４０ａ、４０ｂ、４０ｃとゲート４４ａ、４４ｂ、４４ｃをマトリクス状に接続するマトリクス４２とを有する。
【００２８】
フレームメモリ４０ａ、４０ｂ、４０ｃは、入力回路４０から供給された画像データのうち所定のサブピクセルの各位相の画像データを一時的に記憶する。具体的には、フレームメモリ４０ａは、１つの画素を構成する３つのサブピクセルのうち一方の端のサブピクセルの画像データを記憶し、フレームメモリ４０ｂは、中央のサブピクセルの画像データを記憶し、フレームメモリ４０ｃは、他方の端のサブピクセルの画像データを記憶する。
【００２９】
また、マトリクス４２は、フレームメモリ４０ａ、４０ｂ、４０ｃとゲート４４ａ、４４ｂ、４４ｃとをマトリクス状に接続している。
マトリクス４２は、フレームメモリ４０ａから供給された画像データを、ゲート４４ａ、４４ｂ、４４ｃの少なくとも１つに供給する。同様に、フレームメモリ４０ｂ、４０ｃから供給された画像データもゲート４４ａ、４４ｂ、４４ｃの少なくとも１つに供給する。つまり、マトリクス４２は、フレームメモリ４０ａ、４０ｂ、４０ｃから供給された画像データをゲート４４ａ、４４ｂ、４４ｃに出力する。
【００３０】
ゲート４４ａ、４４ｂ、４４ｃは、表示パネル３４と接続されており、供給された画像データの表示パネル３４への入力切断を切り換える。
ゲート４４ａは、表示パネル３４の各画素を構成する３つのサブピクセルのうち一方の端のサブピクセルと接続され、ゲート４４ｂは、表示パネル３４の各画素の中央のサブピクセルと接続され、ゲート４４ｃは、表示パネル３４の各画素の他方の端のサブピクセルと接続されている。
【００３１】
表示パネル３４は、液晶ディスプレイであり、図２（Ａ）および（Ｂ）に示すように、二次元に配列された複数の画素Ｐで構成され、各画素Ｐは、それぞれ所定階調の光を射出するサブピクセルｐ１、ｐ２、ｐ３で構成されている。各画素Ｐのサブピクセルｐ１、ｐ２、ｐ３は、一方向（図２（Ａ）中Ａ方向）に、サブピクセルｐ１、サブピクセルｐ２、サブピクセルｐ３の順で配置され、サブピクセルｐ３のサブピクセルｐ２とは反対側の面には、隣接する画素のサブピクセルｐ１が配置されている。また、サブピクセルｐ１、ｐ２、ｐ３は、Ａ方向の長さがａであり、Ｂ方向の長さがｂの長方形形状であり、長さａと長さｂとの関係は、ａ：ｂ＝１：３となる。また、図２中Ａ方向に直交するＢ方向には、サブピクセルｐ１の上下に隣接する画素のサブピクセルｐ１が配置され、同様にサブピクセルｐ２の上下には隣接する画素のサブピクセルｐ２が配置され、サブピクセルｐ３の上下には隣接する画素のサブピクセルｐ３が配置されている。
【００３２】
各画素Ｐのサブピクセルｐ１は、それぞれゲート４４ａと接続されており、ゲート４４ａから供給された画像データに基づいた階調の光を射出する。同様に、各画素Ｐのサブピクセルｐ２は、それぞれゲート４４ｂと接続されており、ゲート４４ｂから供給された画像データに基づいた階調の光を射出する。さらに、各画素Ｐのサブピクセルｐ３は、それぞれゲート４４ａと接続されており、ゲート４４ａから供給された画像データに基づいた階調の光を射出する。
表示パネル３４は、このように供給された画像データに基づいた階調の光を各サブピクセルから射出させることで画像を表示する。
なお、表示パネル３４に用いる液晶ディスプレイには特に制限はなく、各種のＬＣＤに用いられる液晶ディスプレイが利用可能である。また、その動作モードも、ＴＮ（Twisted Nematic）モード，ＳＴＮ（Super Twisted Nematic）モード，ＭＶＡ（Multi-domain VerticalAlignement ）モードなどの各種の動作モードが使用可能である。
【００３３】
画像表示装置１０は基本的に以上のような構成である。
以下、画像表示装置１０の動作を説明することで、本発明をより詳細に説明する。
ここで、図３（Ａ）および（Ｂ）は、それぞれ画像データ処理部で処理される画像データを模式的に示すイメージ図であり、図３（Ｃ）は、画像データの分割に用いるフィルタを模式的に示すイメージ図であり、図３（Ｄ）は、分割した画像データを模式的に示すイメージ図であり、図４（Ａ）〜（Ｄ）は、それぞれ表示パネル３４の１つの画素Ｐの各サブピクセルの表示順序を示す説明図である。
【００３４】
まず、画像データ処理手段１２は、取得した図３（Ａ）に示すような画像データＤ１を、画像表示手段１４の表示パネル３４の解像度に基づいて解像度変換部２４で図３（Ｂ）に示すような画像データＤ２に変換する。なお、図３（Ａ）および（Ｂ）は、解像度（データ量）に応じたイメージ図であり、図３（Ｂ）の画像は、図３（Ａ）の画像に対して図中横方向の解像度（データ量）が３倍になっているが、実際に表示される画像の縦横比は、図３（Ａ）と同様の大きさである。
なお、本実施形態では、画像データＤ１の解像度を表示パネル３４が表示可能な解像度よりも低い解像度としたため、解像度を高くするように変換したが、画像データＤ１として高解像度な画像データを用いた場合は、解像度を低くするように変換する。
【００３５】
次に、画像データ処理手段１２は、画像分割部２６で、図３（Ｃ）に示すフィルタＦを用いて、解像度を変換した画像データをサブピクセルの位相毎に分割し、図３（Ｄ）に示すようにサブピクセルの位相に対応した３つの画像データＤ３、Ｄ４、Ｄ５を作成する。ここで、図３（Ｃ）に示すフィルタＦは、図３（Ｃ）中横方向（図２に示す表示パネルのＢ方向）において画像データから３つのサブピクセル毎に１つのサブピクセルの画像データを抽出するフィルタである。つまり、フィルタＦは、１つのサブピクセルの画像データを抽出したら２つのサブピクセルの画像データを抽出せず、その次のサブピクセルの画像データを抽出するフィルタである。
画像分割部２６でフィルタＦにより分割され抽出された画像データＤ３は、各画素Ｐを構成するサブピクセルのうち一方の端のサブピクセル（つまり、サブピクセルｐ１）を抽出した画像データとなり、画像データＤ４は、各画素Ｐのサブピクセルのうち中央のサブピクセル（つまり、サブピクセルｐ２）を抽出した画像データとなり、画像データＤ５は、サブピクセルのうち他方の端のサブピクセル（つまり、サブピクセルｐ３）の画像データとなる。
【００３６】
さらに、画像データ処理手段１２は、メタデータ付加部２８でサブピクセルの位相に対応して分割し作成した３つの画像データＤ３、Ｄ４、Ｄ５のそれぞれに位相情報のメタデータを付加した後、画像データＤ４、画像データＤ３、画像データＤ５の順で、送信部２２から画像表示手段１４に送信する。
【００３７】
画像表示手段１４が、画像データ処理手段１２から送信された画像データＤ４、Ｄ３、Ｄ５を入力回路３０で受信する。入力回路３０は、画像データに付加されているメタデータを検出し、画像データＤ４をフレームメモリ４０ｂに送信し、画像データＤ３をフレームメモリ４０ａに送信し、画像データＤ５をフレームメモリ４０ｃに送信する。
【００３８】
ここで、本実施形態では、マトリクス４２は、フレームメモリ４０ａとゲート４４ａとを接続させ、フレームメモリ４０ｂとゲート４４ｂとを接続させ、フレームメモリ４０ｃとゲート４４ｃとを接続させている。
したがって、フレームメモリ４０ｂに記憶された画像データＤ４はゲート４４ｂに送信され、フレームメモリ４０ａに記憶された画像データＤ３は、ゲート４４ａに送信され、フレームメモリ４０ｃに記憶された画像データＤ５はゲート４４ｃに送信される。
【００３９】
まず、画像データがフレームメモリ４０ａ、４０ｂ、４０ｃに送信されていない状態では、ゲート４４ａ、４４ｂ、４４ｃは、閉じられた状態、つまり、フレームメモリ４０ａ、４０ｂ、４０ｃと表示パネル３４との通信を切断した状態であり、図４（Ａ）に示すように表示パネル３４の画素Ｐの各サブピクセルｐ１、ｐ２、ｐ３には何も表示されていない。
画像表示手段１４は、入力回路３０からフレームメモリ４０ｂへの画像データＤ４の送信が終了し、画像データＤ４が全てフレームメモリ４０ａに記憶されたら、ゲート４４ｂを開き、図４（Ｂ）に示すように画像データＤ４に基づく画像を表示パネル３４の各画素Ｐのサブピクセルｐ２に表示させる。
【００４０】
次に、画像表示手段１４は、入力回路３０からフレームメモリ４０ａへの画像データＤ３の送信が終了し、画像データＤ３が全てフレームメモリ４０aに記憶されたら、ゲート４４ａを開き、図４（Ｃ）に示すように、画像データＤ３に基づく画像を表示パネル３４の各画素Ｐのサブピクセルｐ１に表示させる。なお、このとき画像表示手段１４は、ゲート４４ｂも開いているため、図４（Ｃ）に示すように、表示パネル３４の各画素Ｐのサブピクセルｐ１およびサブピクセルｐ２には、対応する位相の画像データＤ３、Ｄ４の画像が表示されている状態となる。
【００４１】
さらに、画像表示手段１４は、入力回路３０からフレームメモリ４０ｃへの画像データＤ５の送信が終了し、画像データＤ５が全てフレームメモリ４０ｃに記憶されたら、ゲート４４ｃを開き、図４（Ｄ）に示すように、画像データＤ５に基づく画像を表示パネル３４の各画素Ｐのサブピクセルｐ３に表示させる。なお、このとき画像表示手段１４は、上述と同様にゲート４４ａおよび４４ｂも開いているため、図４（Ｄ）に示すように、表示パネル３４の各画素Ｐのサブピクセルｐ１、サブピクセルｐ２およびサブピクセルｐ３には、対応する位相の画像データＤ３、Ｄ４、Ｄ５の画像が表示されている状態となる。
画像表示装置１０は、以上のようにして、画像データ処理手段１２で作成した画像データに基づく画像を画像表示手段１４の表示パネル３４に表示する。
【００４２】
このように、画像データをサブピクセルの位相毎に分割してグループ化し、サブピクセルｐ１の画像データの送信が終了した段階で、サブピクセルｐ１の画像データの画像を表示することで、短時間で全体の画像を表示することができ、短時間で画像の全体像を把握することができる。
さらに、全画像データの送信が終了した段階で全画像データの画像を表示することで、ユーザ（医師、撮影技師等）が画像の全体像を把握している間に、高精細な画像も表示することができる。
これにより、短時間で画像を表示することができ、さらに、画像の全体像を把握し、病巣や病巣と疑われる部分を探知している間に高解像度の画像を表示することができるため、注目部位を詳細に観察することもできる。
また、画像データの送信速度を早くすることなく、短時間で画像を表示することができるため、通信手段、情報処理装置として高価な通信手段、情報処理装置を用いることなく、上記効果をえることができる。
【００４３】
ここで、上記実施形態では、各サブピクセルの画像データを、対応する表示パネルのサブピクセルのみに表示したが、本発明はこれに限定されない。
以下、図５とともに画像表示装置による画像の表示方法の他の例を示す。
ここで、図５（Ａ）〜（Ｄ）は、１つの画素の各サブピクセルの表示順序の他の一例を示す説明図である。
【００４４】
ここで、本実施形態は、画像データの解像度を変換し、解像度を変換した画像データを分割し、サブピクセルの位相毎に画像データを抽出し、画像データＤ３、Ｄ４，Ｄ４を作成する方法、画像データ処理手段１２から画像表示手段１４に画像データＤ３、Ｄ４、Ｄ５を送信する方法、順序は、上述の実施形態と同様であるので、その説明は省略する。
また、本実施形態では、マトリクス４２がフレームメモリ４０ａ、４０ｂ、４０ｃとゲート４４ａ、４４ｂ、４４ｃとの接続状態を必要に応じて切り換える。
【００４５】
まず、画像データがフレームメモリ４０ａ、４０ｂ、４０ｃに送信されていない状態では、ゲート４４ａ、４４ｂ、４４ｃは、閉じられた状態、つまり、フレームメモリ４０ａ、４０ｂ、４０ｃと表示パネル３４との通信を切断した状態であり、図５（Ａ）に示すように表示パネル３４の画素Ｐの各サブピクセルｐ１、ｐ２、ｐ３には何も表示されていない。
画像表示手段１４は、入力回路３０からフレームメモリ４０ｂへの画像データＤ４の送信が終了し、画像データＤ４が全てフレームメモリ４０ａに記憶されたら、マトリクス４２により、フレームメモリ４０ｂと、ゲート４４ａ、ゲート４４ｂ、ゲート４４ｃとを接続させた状態（データを送信できる状態）とする。その後、画像表示手段１４は、ゲート４４ａ、ゲート４４ｂ、ゲート４４ｃを開き、図５（Ｂ）に示すように、画像データＤ４に基づく画像を表示パネル３４の各画素Ｐのサブピクセルｐ１、サブピクセルｐ２、サブピクセルｐ３に表示させる。つまり、サブピクセルｐ１、ｐ２、ｐ３に同じ画像データを送信する。
【００４６】
次に、画像表示手段１４は、入力回路３０からフレームメモリ４０ａへの画像データＤ３の送信が終了し、画像データＤ３が全てフレームメモリ４０ａに記憶されたら、マトリクス４２により、フレームメモリ４０ｂとゲート４４ｂ、ゲート４４ｃとを接続させた状態とし、さらに、フレームメモリ４０ａとゲート４４ａとを接続させた状態とする。
このようにマトリクス４２により接続を切り換えることで、図５（Ｃ）に示すように、画像データＤ３に基づく画像を表示パネル３４の各画素Ｐのサブピクセルｐ１に表示させ、画像データＤ４に基づく画像を表示パネル３４の各画素Ｐのサブピクセルｐ２、サブピクセルｐ３に表示させる。
【００４７】
さらに、画像表示手段１４は、入力回路３０からフレームメモリ４０ｃへの画像データＤ５の送信が終了し、画像データＤ５が全てフレームメモリ４０ｃに記憶されたら、マトリクス４２により、フレームメモリ４０ｂとゲート４４ｂとを接続させた状態とし、フレームメモリ４０ａとゲート４４ａとを接続させた状態とし、さらに、フレームメモリ４０ｃとゲート４４ｃとを接続させた状態とする。
このようにマトリクス４２により接続を切り換えることで、図５（Ｄ）に示すように、画像データＤ３に基づく画像を表示パネル３４の各画素Ｐのサブピクセルｐ１に表示させ、画像データＤ４に基づく画像を表示パネル３４の各画素Ｐのサブピクセルｐ２に表示させ、画像データＤ５に基づく画像を表示パネル３４の各画素Ｐのサブピクセルｐ３に表示させる。
【００４８】
このようにサブピクセルｐ１の画像データの送信が終了した段階で、サブピクセルｐ１の画像データを表示パネル３４のサブピクセルｐ１、ｐ２、ｐ３に表示させることでも、短時間で全体の画像を表示することができる。さらに、各位相のサブピクセルの画像データの送信が終了した段階で、順次画像表示を切り換えることで、画像の注目したい部分を発見した時には、高精細な画像が表示された状態とすることができる。
【００４９】
次に、図６（Ａ）〜（Ｃ）は、１つの画素の各サブピクセルの表示順序のさらに他の一例を示す説明図である。
ここで、本実施形態も、画像データの解像度を変換し、解像度を変換した画像データを分割し、サブピクセルの位相毎に画像データを抽出し、画像データＤ３、Ｄ４、Ｄ５を作成する方法、画像データ処理手段１２から画像表示手段１４に画像データＤ３、Ｄ４、Ｄ５を送信する方法、順序は、上述の実施形態と同様であるので、その説明は省略する。
また、本実施形態では、マトリクス４２がフレームメモリ４０ａ、４０ｂ、４０ｃとゲート４４ａ、４４ｂ、４４ｃとの接続状態を必要に応じて切り換える。
【００５０】
まず、画像データがフレームメモリ４０ａ、４０ｂ、４０ｃに送信されていない状態では、ゲート４４ａ、４４ｂ、４４ｃは、閉じられた状態、つまり、フレームメモリ４０ａ、４０ｂ、４０ｃと表示パネル３４との通信を切断した状態であり、図６（Ａ）に示すように表示パネル３４の画素Ｐの各サブピクセルｐ１、ｐ２、ｐ３には何も表示されていない。
画像表示手段１４は、入力回路３０からフレームメモリ４０ｂへの画像データＤ４の送信が終了し、画像データＤ４が全てフレームメモリ４０ａに記憶されたら、マトリクス４２により、フレームメモリ４０ｂと、ゲート４４ａ、ゲート４４ｂ、ゲート４４ｃとを接続させた状態（データを送信できる状態）とする。その後、画像表示手段１４は、ゲート４４ａ、ゲート４４ｂ、ゲート４４ｃを開き、図６（Ｂ）に示すように、画像データＤ４に基づく画像を表示パネル３４の各画素Ｐのサブピクセルｐ１、サブピクセルｐ２、サブピクセルｐ３に表示させる。つまり、サブピクセルｐ１、ｐ２、ｐ３に同じ画像データを送信する。
【００５１】
次に、画像表示手段１４は、入力回路３０からフレームメモリ４０ａへの画像データＤ３の送信が終了し、画像データＤ３が全てフレームメモリ４０ａに記憶され、さらにその後、画像データＤ５の送信が終了し画像データＤ５が全てフレームメモリ４０ｂに記憶されたら、マトリクス４２により、フレームメモリ４０ｂとゲート４４ｂとを接続させた状態とし、フレームメモリ４０ａとゲート４４ａとを接続させた状態とし、フレームメモリ４０ｃとゲート４４ｃとを接続させた状態とする。
このようにマトリクス４２により接続を切り換えることで、図６（Ｃ）に示すように、画像データＤ３に基づく画像を表示パネル３４の各画素Ｐのサブピクセルｐ１に表示させ、画像データＤ４に基づく画像を表示パネル３４の各画素Ｐのサブピクセルｐ２に表示させ、画像データＤ５に基づく画像を表示パネル３４の各画素Ｐのサブピクセルｐ３に表示させる。
【００５２】
このようにサブピクセルｐ１の画像データの送信が終了した段階で、サブピクセルｐ１の画像データを表示パネル３４のサブピクセルｐ１、ｐ２、ｐ３に表示させ、その後は、全ての画像データの送信が終了した段階で、画像表示を切り換えるようにしても、上記と同様の効果を得ることができる。
【００５３】
なお、本実施形態では、各画素の中央のサブピクセルｐ２を抽出した画像データＤ４を画像表示手段１４に最初に送信したが、送信順序は特に限定されず、任意の順序で画像データＤ３、Ｄ４、Ｄ５を送信すればよい。
また、マトリクスによるフレームメモリとゲートとの接続関係の切替順序も特に限定されず、１つの位相のサブピクセルの画像データの送信が終了した際に、そのサブピクセルの画像を表示パネルの任意のサブピクセルに表示し、全ての位相のサブピクセルの画像データの送信が終了した際に、表示パネルの各サブピクセルに対応するサブピクセルの画像を表示すれば、その間の切替は種々の組み合わせにすることができる。
例えば、図５に示した実施形態では、画像データＤ４を送信し、その後画像データＤ３を送信した際、表示パネル３４のサブピクセルｐ１に画像データＤ３の画像を表示させ、サブピクセルｐ２、ｐ３に画像データＤ４の画像を表示させたが、表示パネル２４のサブピクセルｐ１、ｐ３に画像データＤ３の画像を表示させ、サブピクセルｐ２に画像データＤ４の画像を表示させてもよい。
【００５４】
また、上記実施形態では、解像度として説明したが、３つのサブピクセルで１つの画素の輝度を表することにより、１つのサブピクセルの階調以上の階調で１つの画素を表現することができる。つまり、解像度を変更することで、高階調の画像を表示することができる。
【００５５】
また、各画素Ｐのサブピクセルｐ１、ｐ２、ｐ３は、各サブピクセルに異なるフィルタを配置し、サブピクセルにより射出する光の強度、具体的には、１階調の強度の幅や、射出できる光の最大強度を変化させてもよい。例えば、サブピクセルｐ２の１階調の強度の幅を最も大きくし、サブピクセルｐ１、サブピクセルｐ３の順で１階調の強度の幅が小さくするようにしてもよい。
このようにサブピクセルによって１階調の強度の幅を変化させることで、より３つのサブピクセルを用いる１つの画素でより高い階調の画像を表示することが可能となり、より高画質な画像を表示することができる。
このようにサブピクセルによって１階調の強度の幅が異なる場合は、１階調の幅が大きいサブピクセルの位相の画像データから順に送信することが好ましい。
【００５６】
なお、１つの画素を構成するサブピクセルの数は、特に限定されないが、３つのサブピクセルとすることが好ましい。サブピクセルの数を３つにすることで、従来カラー画像を表示するためのＲＧＢの画像表示装置の各部品を用いることができ、製造コストを低くすることができる。
【００５７】
なお、上記実施形態では、画像データ処理手段１２で予め画像データを分割したが、これに限定されず、送信部２２で画像データのサブピクセルの位相を検出し、位相毎に送信するようにしてもよい。
【００５８】
以上、本発明に係る画像表示装置について詳細に説明したが、本発明は、以上の実施形態に限定されるものではなく、本発明の要旨を逸脱しない範囲において、各種の改良や変更を行ってもよい。
例えば、上記実施形態では、より高解像度、高分解能な画像を表示することができ、３分の１の画像データに基づいた画像表示でも全体の画像を好適把握することができるため表示パネルとして１つを３のサブピクセルで表示する表示パネルを用いたが、本発明は、サブピクセルの位相毎に画像データを分割することに限定されず、画素を一定間隔（もしくは一定周期）で分割してもよい。このように、画素を一定間隔で分割する場合は、画像データを一定周期の位相毎にグループ化、繰り返し単位分の画像データのグループを作成する。その後、グループ毎に画像データを送信し、画像表示手段が、最初のグループ（位相）の全ての画像データをフレームメモリに記憶したら、最初のグループの画像データに基づいて画像を表示すればよい。
このように、一定個数の画素を上記実施形態サブピクセルと対応させることで、同様の処理を行うことができる。これにより、短時間で画像を表示することができ、また、画像の全体を把握している間に、高解像度な画像を表示することで、細部の詳細な観察を行うことができる。
【００５９】
また、本実施形態では、医療用画像のモノクロ画像として説明したが、本発明はこれに限定されず、短時間で全体像を把握し、その後全体の詳細な検討が必要な画像を表示する各種の画像表示装置として用いることができる。
【図面の簡単な説明】
【００６０】
【図１】本発明の画像表示装置の一実施形態の概略構成を示すブロック図である。
【図２】（Ａ）は、図１に示す表示パネルの一部を示す正面図であり、（Ｂ）は、（Ａ）に示す表示パネルの１つの画素を拡大して示す拡大正面図である。
【図３】（Ａ）および（Ｂ）は、それぞれ画像データ処理部で処理される画像データを模式的に示すイメージ図であり、（Ｃ）は、画像データの分割に用いるフィルタを模式的に示すイメージ図であり、（Ｄ）は、分割した画像データを模式的に示すイメージ図である。
【図４】（Ａ）〜（Ｄ）は、１つの画素の各サブピクセルの表示順序の一例を示す説明図である。
【図５】（Ａ）〜（Ｄ）は、１つの画素の各サブピクセルの表示順序の他の一例を示す説明図である。
【図６】（Ａ）〜（Ｃ）は、１つの画素の各サブピクセルの表示順序の他の一例を示す説明図である。
【符号の説明】
【００６１】
１０  画像表示装置
１２  画像データ処理手段
１４  画像表示手段
２０  データ処理ユニット
２２  送信部
２４  解像度変換部
２６  画像分割部
２８  メタデータ付加部
３０  入力回路
３２  タイミング位相制御部
３４  表示パネル
４０ａ、４０ｂ、４０ｃ  フレームメモリ
４２  マトリクス
４４ａ、４４ｂ、４４ｃ  ゲート
Ｄ  画像データ
Ｆ  フィルタ
Ｐ  画素
ｐ１、ｐ２、ｐ３  サブピクセル
【図１】
2009122589.tif 000003
【図２】
2009122589.tif 000004
【図３】
2009122589.tif 000005
【図４】
2009122589.tif 000006
【図５】
2009122589.tif 000007
【図６】
2009122589.tif 000008